(57)【要約】【課題】  折り畳めるので輸送・保管に場所をとらず、使用時に左右側面板を直立した状態に簡単に組み立てられるとともに、保冷材収容スペースをワンタッチで成形できる包装容器を提供すること。【解決手段】  底板と、底板の前側辺に連接される前壁と、底板の後側辺に連接される後壁と、底板の左側辺に連接される左側壁と、底板の右側辺に連接される右側壁と、前記前壁、後壁、左側壁又は右側壁のいずれかに連接され、これら各壁の上縁を被覆する天板とを備えた包装容器であって、前記前壁の左右両側縁部とこれらの縁部に対応する左右両側壁の縁部は、左右両側壁が包装容器内部へ向けて折り畳み可能に結合され、また、前記前壁、後壁、左側壁又は右側壁のいずれかの内側には保冷材収容のためのスペースが設けられており、前記前壁、左側壁又は右側壁のいずれかを立ち上げ操作することによりワンタッチで箱組みできるようにしたことを特徴とする包装容器である。【選択図】図１
2017132472.tif 000002
【特許請求の範囲】
【請求項１】
底板と、
底板の前側辺に連接される前壁と、
底板の後側辺に連接される後壁と、
底板の左側辺に連接される左側壁と、
底板の右側辺に連接される右側壁と、
前記前壁、後壁、左側壁又は右側壁のいずれかに連接され、これら各壁の上縁を被覆する天板とを備えた収納箱であって、
前記前壁の左右両側縁部とこれらの縁部に対応する左右両側壁の縁部は、左右両側壁が収納箱内部へ向けて折り畳み可能に結合され、また、
前記前壁、後壁、左側壁又は右側壁のいずれかの内側には保冷材収容のためのスペースが設けられており、
前記前壁、左側壁又は右側壁のいずれかを立ち上げ操作することによりワンタッチで箱組みできるようにしたことを特徴とする包装容器。
【請求項２】
前壁の左又は右端のいずれかには成形フラップが連接され、この成形フラップには当該成形フラップの先端寄り部分に連接された接合端を有し、成形フラップの基端寄りの先端部分は成形フラップから切り分けられた切込み区域を設ける一方、成形フラップの基端部は側壁に結合させ、切込み区域の先端部分は前壁に結合させることにより、収納箱自体がワンタッチで箱組みできるのに加えて収容スペースもまたワンタッチで成形可能であることを特徴とする請求項１に記載の包装容器。
【請求項３】
前記切込み区域は概略矩形状に形成され、当該切込み区域の前壁への結合部分よりも接合端寄りの部分には切込み区域の長手方向に対して交差する方向に切込線が形成されており、
収納箱のワンタッチ箱組み操作に際して、前記切込線が折り曲げられて切込み区域が立ち上がり、前記成形フラップを前記前壁から離間させることを特徴とする請求項２に記載の包装容器。
【発明の詳細な説明】
【技術分野】
【０００１】
本発明は、簡単に組み立てて内部にケーキ等を収納して持ち運べるようにした包装容器、特に箱本体組み立て時に保冷材スペースをワンタッチで組み立てることができる包装容器に関するものである。
【背景技術】
【０００２】
従来、ケーキ等の菓子類を収納して持ち運ぶのに使用する包装容器としては、例えば、下記特許文献１に記載されている構成のケーキ収納箱が知られている。このケーキ収納箱は、ケーキを収容する底及び胴体（分割体となっている）を構成する箱本体と、該箱本体上に覆設される下面解放型の蓋で構成され、前記箱本体のコーナー部内側には、保冷材を入れることのできるコーナー収納部が縦方向に形成された構成を有している。
【先行技術文献】
【特許文献】
【０００３】
【特許文献１】特開２０００−２８９７８０号公報
【発明の概要】
【発明が解決しようとする課題】
【０００４】
しかしながら、上記の構成のケーキ収納箱では、コーナー収納部を構成するには、箱本体を組み立てた後、箱本体のコーナー部内側に別部品となるコーナー収納部を設置し、これを接着剤などにより、箱本体のコーナー部内側に貼り付け固定する必要があり、ケーキ収納箱の組み立てに手間と時間がかかるという不具合があった。
【０００５】
本発明は上述のような不具合に鑑みてなされたもので、その目的は、簡単に組み立てて内部にケーキ等を収納して持ち運べるようにでき、とりわけ箱本体組み立て時に箱本体及び保冷材スペースをワンタッチで組み立てることができる包装容器を提供することである。
【課題を解決するための手段】
【０００６】
上記目的を達成するために、本発明は、底板と、底板の前側辺に連接される前壁と、底板の後側辺に連接される後壁と、底板の左側辺に連接される左側壁と、底板の右側辺に連接される右側壁と、前記前壁、後壁、左側壁又は右側壁のいずれかに連接され、これら各壁の上縁を被覆する天板とを備えた包装容器であって、前記前壁の左右両側縁部とこれらの縁部に対応する左右両側壁の縁部は、左右両側壁が包装容器内部へ向けて折り畳み可能に結合され、また、前記前壁、後壁、左側壁又は右側壁のいずれかの内側には保冷材収容のためのスペースが設けられており、前記前壁、左側壁又は右側壁のいずれかを立ち上げ操作することによりワンタッチで箱組みできるようにしたことを特徴とするものである。これにより、包装容器本体がワンタッチで組み立てられ、また内部に保冷材スペースを設置することができる。
【０００７】
本発明の別の態様では、前壁の左又は右端のいずれかには成形フラップが連接され、この成形フラップには当該成形フラップの先端寄り部分に連接された接合端を有し、成形フラップの基端寄りの先端部分は成形フラップから切り分けられた切込み区域を設ける一方、成形フラップの基端部は側壁に結合させ、切込み区域の先端部分は前壁に結合させることにより、包装容器自体がワンタッチで箱組みできるのに加えて収容スペースもまたワンタッチで成形可能であることを特徴とする。これにより、包装容器本体がワンタッチで組み立てられるのに加えて、その組み立て時に保冷材スペースをワンタッチで組み立てることができる。
【０００８】
本発明のさらに別の態様では、切込み区域は概略矩形状に形成され、当該切込み区域の前壁への結合部分よりも接合端寄りの部分には切込み区域の長手方向に対して交差する方向に切込線が形成されており、包装容器のワンタッチ箱組み操作に際して、前記切込線が折り曲げられて切込み区域が立ち上がり、前記成形フラップを前記前壁から離間させることを特徴とする。これにより、包装容器本体に加えて、保冷材スペースをワンタッチで組み立てるに際して、切込み区域を立ち上げる折り曲げ操作が円滑に行われることができる。
【発明の効果】
【０００９】
以上のように、本発明によれば、輸送・保管に場所をとらず、使用時に左右側面板を直立した状態に簡単に組み立て内部にケーキ等を収納して持ち運べるようにできる。また、箱本体組み立て時に保冷材収容スペースをワンタッチで組み立てることができる等の降下が得られる。
【図面の簡単な説明】
【００１０】
【図１】本発明の一実施の形態に係る包装容器の蓋を開けた状態を示す斜視図
【図２】本実施の形態に係る包装容器を折り畳んだ状態示す斜視図
【図３】本発明の実施の形態のブランク板を示す平面図（展開図）である。
【図４】本実施の形態に係る包装容器の内部の収容スペースを拡大して示す部分斜視図である。
【図５】本実施の形態に係る包装容器の内部の収容スペースを図４とは別の方向から拡大して示す部分斜視図である。
【発明を実施するための形態】
【００１１】
以下本発明の実施形態を図面に基づき説明する。図１は本発明の一実施の形態に係る包装容器の蓋を開けた状態を示す斜視図，図２は本実施の形態に係る包装容器を折り畳んだ状態示す斜視図、図３は本実施の形態のブランク板を示す平面図（展開図）である。また、図４は本実施の形態に係る包装容器の内部の収容スペースを拡大して示す部分斜視図、図５は本実施の形態に係る包装容器の内部の収容スペースを図４とは別の方向から拡大して示す部分斜視図である。
【００１２】
図１において、符号１は包装容器を示す。この包装容器１は、正方形又は長方形の底板２に対して、周壁として前壁３ａ、後壁３ｂ及び左側壁４ａ、右側壁４ｂが折曲げ起立可能に連設されている。包装容器１の、前壁３ａの内側（図１では内側右隅）には保冷材を収容する収容スペース５が設けられている。ここで、「保冷材」には、通常認識される保冷剤に加え、これとは異なった材質（例えば比熱の大きい金属等）を使用したものを含む。この包装容器１は不使用時、或いは運搬時はスペースをとらないよう左側壁４ａ及び右側壁４ｂの途中を折り曲げることにより、図２に示されるように折り畳まれる。包装容器１の各部の構成が図３により詳細に表されている。
【００１３】
図３は包装容器１のブランク板を示す展開図であり、表抜きの態様（すなわち、図に見える面が包装容器１の内側面となる）を示す。図３において、前壁３ａは底板２に対して折曲げ線ａを介して連設され、後壁３ｂは底板２に対して折曲げ線ｂを介して連設され、左側壁４ａは底板２に対して折曲げ線ｃを介して連設され、右側壁４ｂは底板２に対して折曲げ線ｄを介して連設されている。後壁３ｂの延長上には折曲げ線ｅを介して天板６が折り曲げ可能に連設され、天板６の先方には折曲げ線ｆを介して蓋フラップ７が折り曲げ可能に連設されている。そして左側壁４ａの後方端部には左側内側壁８が折曲げ線ｇを介して折り曲げ可能に連設され、右側壁４ｂの後方端部には右側内側壁９が折曲げ線ｈを介して折り曲げ可能に連設されている。左側内側壁８の先端には係止部８ａが切込み形成される一方、右側内側壁９の先端には係止部９ａが切込み形成されており、包装容器１の組み立て時に係止部８ａと係止部９ａが互いに係合して後壁３ｂの内側に内側壁を形成する。また、左側壁４ａ及び右側壁４ｂの上端には、包装容器１の内側に向ってアングル状に折り曲げられる上部フラップ１０ａ，１０ｂがそれぞれ折曲げ線ｉ，ｊを介して折り曲げ可能に連設され、蓋受け用周縁部を形成している。また、前壁３ａの左端には前壁３ａと左側壁４ａとを接合するための接合フラップ１１が折曲げ線ｋを介して折り曲げ可能に連設されている。
【００１４】
前壁３ａの右端には成形フラップ１２が折曲げ線ｍを介して折り曲げ可能に連設されている。成形フラップ１２は接合フラップ１１に比べて大きな長さ寸法を有し、包装容器１が箱組みされたときに収容スペース５を構成する。そのために、成形フラップ１２には所定形状の切込み区域１３が形成されている。切込み区域１３は概略矩形状に形成され、成形フラップ１２の先端に近い側の一端辺において折曲げ線ｎを介して成形フラップ１２に一体的に且つ折り曲げ可能に連設され、矩形の残りの辺である成形フラップ１２の先端に近い側の辺１３ａと上下２つの辺１３ｂ、１３ｃの部分はフラップ本体部分１２ａから切り分けられている。切込み区域１３の構成上、上記一端辺（折曲げ線と同等であるため「ｎ」の符号で表す）が基端辺となり、辺１３ａが先端辺となる。また、基端辺ｎと先端辺１３ａの中間部分にはこれらの辺ｎ、１３ａと平行の方向に延びて複数の切込線１４が間隙を空けて形成されている。さらに、切込み区域１３の先端辺１３ａと折曲げ線ｍとの間の成形フラップ１２部分には上記切込線１４よりも大きな長さ寸法の複数の切込線１５が間隙を空けて形成されている。これらの切込線１４、１５は、それぞれの部位において切込み区域１３又は成形フラップ１２を折り曲げ易くするためのものであり、上記された折曲げ線ａ、ｂ、ｃ等と同じ機能を有している。
【００１５】
このような、ブランク板構造において、包装容器１を成形する動作を説明する。前壁３ａの右側部分においては、成形フラップ１２の切込み区域１３の先端辺１３ａに近い部分に糊を塗布して糊付け部１３ｄ（図３中円形の網線で表してある）を形成し、当該成形フラップ１２を折曲げ線ｍにおいて内側（図３では立上り方向、外側は立下り方向とする。以下同じ）へ折り曲げて前壁３ａの内面に重ね合わせる。これにより、前壁３ａと成形フラップ１２は糊付け部１３ｄにおいて結合される。この成形フラップ１２を前壁３ａの内面に重ね合わせた状態において、上面側へ表れた成形フラップ１２の外面に糊を塗布する。その状態で、右側壁４ｂを折曲げ線ｄにおいて内側へ折り曲げて底板２の内面に重ね合わせると、当該右側壁４ｂと成形フラップ１２が上記糊を塗布した部分において結合される。ここで、成形フラップ１２の外面の糊塗布領域１２ｂは、図３において一点鎖線で表された境界線ｐよりも下で且つ切込線１５を繋ぐ線（これも折曲げ線を形成する）よりも折曲げ線ｍ側の部分である。この境界線ｐは、左側壁４ａ及び上部フラップ１０ｂにわたって一点鎖線で表された折曲げ線ｑと、折曲げ線ａ（厳密にはその延長線）に対して線対称となる線であり、成形フラップ１２の外面の糊塗布領域１２ｂを上述のように設定し、折曲げ線ｑにおいて右側壁４ｂ及び上部フラップ１０ｂを外側へ折り曲げることにより成形した後の包装容器１を折り畳み状態にすることが可能となる。
【００１６】
前壁３ａの左側部分においては、接合フラップ１１を折曲げ線ｋにおいて内側へ折り曲げて前壁３ａの内面に重ね合わせ、上面側へ表れた接合フラップ１１の外面に糊を塗布する。その状態で、左側壁４ａを折曲げ線ｃにおいて内側へ折り曲げて底板２の内面に重ね合わせると、当該左側壁４ａと接合フラップ１１が上記糊を塗布した部分において結合される。ここで、接合フラップ１１の外面の糊塗布領域１１ａは、図３において一点鎖線で表された境界線ｒよりも下の部分である。この境界線ｒは、左側壁４ａ及び上部フラップ１０ａにわたって一点鎖線で表された折曲げ線ｓと、折曲げ線ａ（厳密にはその延長線）に対して線対称となる線であり、接合フラップ１１の外面の糊塗布領域１１ａを上述のように設定し、折曲げ線ｓにおいて左側壁４ａ及び上部フラップ１０ａを外側へ折り曲げることにより成形した後の包装容器１を折り畳み状態にすることが可能となる。
【００１７】
その他の部分においては、後壁３ｂを折曲げ線ｂにおいて内側へ折り曲げて底板２の内面に重ね合わせるか、又は天板６を折曲げ線ｅにおいて内側へ折り曲げて後壁３ｂ及び底板２の内面に重ね合わせることにより成形した後の包装容器１を折り畳み状態にすることが可能となる。さらに、左側内側壁８及び右側内側壁９については、それぞれ折曲げ線ｇ及びｈにおいて折り曲げることにより、すでに折り曲げられた左側壁４ａ、右側壁４ｂ及び前壁３ａの上に重ね合わせられ、これにより成形した後の包装容器１を折り畳み状態にすることが可能となる。
【００１８】
このように納箱１を折り畳み状態にすることにより、包装容器１は扁平構造を有することになり、包装容器１の貯蔵、運搬においてかさばらず貯蔵スペース等の有効活用を図ることができる。
【００１９】
以上のように折り畳み状態になっている包装容器１を箱組み（立体箱の状態に組み立てること）するには、先ず天板６を外側へ折り戻し、次に前壁３ａを底板２に対して直角になるように立ち上げさせると、左側壁４ａ及び右側壁４ｂも糊塗布領域１１ａ、１２ｂにおいて前壁３ａに結合している関係上立ち上げ動作を行い、包装容器本体がワンタッチで成形される。この前壁３ａ、左側壁４ａ及び右側壁４ｂの立ち上げ動作に際して、前壁３ａと右側壁４ｂの接合部分では、成形フラップ１２が糊塗布領域１２ｂにおいて右側壁４ｂに結合しているため、成形フラップ１２に対しては図４中矢印Ｗの方向に引張り力が作用して成形フラップ１２は右側壁４ｂの立ち上がり方向Ｗに移動する。他方において成形フラップ１２に設けられた切込み区域１３について見ると、切込み区域１３は当該切込み区域１３自身にとって先端に近い部分にある糊付け部１３ｄにおいて前壁３ａに結合しているため、糊付け部１３ｄは右側壁４ｂの立ち上がり方向Ｗに移動しない。よって、切込み区域１３は、その先端辺１３ａと上下２つの辺１３ｂ、１３ｃの部分はフラップ本体部分１２ａから切り分けられていることにより、成形フラップ１２から抜け外れ、折曲げ線ｎ及び切込線１４において折れ曲がりながら前壁３ａの内面から立ち上がる。
【００２０】
他方、成形フラップ１２の基端側においても、右側壁４ｂの立ち上がりにしたがって、切込線１４、１５において折れ曲がりながら前壁３ａの内面にから立ち上がる。これにより包装容器１の内部には収容スペース５がワンタッチで成形される。その後、左側内側壁８及び右側内側壁９を内側へ折り曲げ、両内側壁８、９を係止部８ａ、９ａでつなぐことにより後壁３ｂ部分の壁が形成されて包装容器１の箱組みが完成する。そして、包装容器１の内部にはケーキ等の収納物が入れられる一方、収容スペース５には保冷材が入れられ、さらに天板６を折曲げ線ｅにおいて折り曲げて包装容器１に蓋をし、また蓋フラップ７を折曲げ線ｆにおいて折曲げて包装容器１の前壁３ａ上縁部の間隙に差し込むことにより収納物の包装が完了する。
【００２１】
なお、上記実施の形態では、蓋が平板状の天板６から成り、蓋フラップ７を前壁３ａ上縁部の間隙に差し込む方式を採っているが、これとは異なり、天板を左右又は前後の両開き構造とし、各天板部に把手部を設けて手提げ箱構造とすることもできる。また、保冷材の収容スペース５は包装容器１の各壁のいずれかの内側に設けることもできる。
【産業上の利用可能性】
【００２２】
本発明によれば、底板、前後壁、左右側壁を有し、前壁の左右両端部とそれらに対応する左右側壁を結合させて折畳み、ワンタッチで箱組みできるようにした包装容器において、その前壁３ａに成形フラップ１２を設け、この成形フラップ１２には当該成形フラップ１２から抜け外れ可能な切込み区域１３を設ける一方、成形フラップの基端部は側壁に結合させる一方、切込み区域の自由端（先端）は前壁に結合させることにより、包装容器自体がワンタッチで箱組みできるのに加えて収容スペース５もまたワンタッチで成形され、有用である。
【符号の説明】
【００２３】
１  包装容器
２  底板
３ａ  前壁
３ｂ  後壁
４ａ  左側壁
４ｂ  右側壁
５  収容スペース
６  天板
７  蓋フラップ
８  左側内側壁
９  右側内側壁
１０ａ，１  ０ｂ上部フラップ
１１  接合フラップ
１２  成形フラップ
１３  切込み区域
１４、１５  切込線
ａ、ｂ、ｃ、・・・  折曲げ線
【図１】
2017132472.tif 000003
【図２】
2017132472.tif 000004
【図３】
2017132472.tif 000005
【図４】
2017132472.tif 000006
【図５】
2017132472.tif 000007
【手続補正書】
【提出日】平成29年4月17日(2017.4.17)
【手続補正１】
【補正対象書類名】明細書
【補正対象項目名】０００６
【補正方法】変更
【補正の内容】
【０００６】
上記目的を達成するために、本発明は、底板と、底板の前側辺に連接される前壁と、底板の後側辺に連接される後壁と、底板の左側辺に連接される左側壁と、底板の右側辺に連接される右側壁と、前記前壁、後壁、左側壁又は右側壁のいずれかに連接され、これら各壁の上縁を被覆する天板とを備えた包装容器であって、前記前壁の左右両側縁部とこれらの縁部に対応する左右両側壁の縁部は、左右両側壁が包装容器内部へ向けて折り畳み可能に結合され、また、前記前壁、後壁、左側壁又は右側壁のいずれかの内側には保冷材収容のためのスペースが設けられており、前記保冷材収容スペースは、前壁の左端又は右端のいずれかから左方又は右方へ延伸して連接された成形フラップと、この成形フラップの延伸方向基端部分に設けられ、近接する左側壁又は右側壁のいずれかの内面に結合される第１の結合区域と、前記第１の結合区域と一体的に連続し、且つ前記結合区域よりも成形フラップの延伸方向先端側部分に設けられたフラップ本体と、前記フラップ本体の内部において、成形フラップの延伸方向先端側部位ではフラップ本体と一体の起点となり、またこの起点から成形フラップの延伸方向基端側寄りの終点部位までにかけてフラップ本体から切り分け成形されて成形フラップの延伸方向とは反対向きに延びる切込み区域と、からなり、前記第１の結合区域と前記フラップ本体との境界部分には前記成形フラップを折り曲げ可能にする第１の切込線が形成され、前記切込み区域の成形フラップの延伸方向中間部分には当該切込み区域を折り曲げ可能にする第２の切込線が形成され、且つ、前記切込み区域の、前記第２の切込み線よりも成形フラップの延伸方向基端側部分には前壁の内面に結合される第２の結合区域が形成されており、また、前記前壁の前記成形フラップが延伸して連接された側縁部とは反対側の側縁部には接合フラップが設けられ、当該接合フラップは、収納箱の内側方向へ折り曲げて前壁の内面に重ね合わせられた状態で、その外面が隣接する側壁の内面に重ね合わせ結合される第３の結合区域が設けられており、前記接合フラップとこれに対応する側壁とは、前記第３の結合区域において、両部材の底面側の一定領域では非結合領域となし、その領域よりも上の領域で結合領域として結合され、且つ当該非結合領域と結合領域との境界部において側壁にはその前端縁と底板との交点から後ろ上方へ向けて延びる折曲げ線が形成されており、前記成形フラップとこれに対応する側壁とは、前記第１の結合区域において、両部材の底面側の一定領域では非結合領域となし、その領域よりも上の領域で結合領域として結合され、且つ当該非結合領域と結合領域との境界部において側壁にはその前端縁と底板との交点から後ろ上方へ向けて延びる折曲げ線が形成されており、成形フラップの前記切込み区域の終点部位は前壁に結合されていることを特徴とするものである。これにより、収納箱の前記前壁、左側壁及び右側壁部分が底板からワンタッチで組み立てされるのに加えて、前記収容スペースもまた前壁の内面からワンタッチで組み立て成形されることができる。
【手続補正２】
【補正対象書類名】明細書
【補正対象項目名】０００７
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
底板と、
底板の前側辺に連接される前壁と、
底板の後側辺に連接される後壁と、
底板の左側辺に連接される左側壁と、
底板の右側辺に連接される右側壁と、
前記前壁、後壁、左側壁又は右側壁のいずれかに連接され、これら各壁の上縁を被覆する天板とを備えた収納箱であって、
前記前壁の左右両側縁部とこれらの縁部に対応する左右両側壁の縁部は、左右両側壁が収納箱内部へ向けて折り畳み可能に結合され、また、
前記前壁、後壁、左側壁又は右側壁のいずれかの内側には保冷材収容のためのスペースが設けられており、
前記保冷材収容スペースは、
前壁の左端又は右端のいずれかから左方又は右方へ延伸して連接された成形フラップと、
この成形フラップの延伸方向基端部分に設けられ、近接する左側壁又は右側壁のいずれかの内面に結合される第１の結合区域と、
前記第１の結合区域と一体的に連続し、且つ前記結合区域よりも成形フラップの延伸方向先端側部分に設けられたフラップ本体と、
前記フラップ本体の内部において、成形フラップの延伸方向先端側部位ではフラップ本体と一体の起点となり、またこの起点から成形フラップの延伸方向基端側寄りの終点部位までにかけてフラップ本体から切り分け成形されて成形フラップの延伸方向とは反対向きに延びる切込み区域と、からなり、
前記第１の結合区域と前記フラップ本体との境界部分には前記成形フラップを折り曲げ可能にする第１の切込線が形成され、
前記切込み区域の成形フラップの延伸方向中間部分には当該切込み区域を折り曲げ可能にする第２の切込線が形成され、且つ、前記切込み区域の、前記第２の切込み線よりも成形フラップの延伸方向基端側部分には前壁の内面に結合される第２の結合区域が形成されており、また、
前記前壁の前記成形フラップが延伸して連接された側縁部とは反対側の側縁部には接合フラップが設けられ、当該接合フラップは、収納箱の内側方向へ折り曲げて前壁の内面に重ね合わせられた状態で、その外面が隣接する側壁の内面に重ね合わせ結合される第３の結合区域が設けられており、
前記接合フラップとこれに対応する側壁とは、前記第３の結合区域において、両部材の底面側の一定領域では非結合領域となし、その領域よりも上の領域で結合領域として結合され、且つ当該非結合領域と結合領域との境界部において側壁にはその前端縁と底板との交点から後ろ上方へ向けて延びる折曲げ線が形成されており、
前記成形フラップとこれに対応する側壁とは、前記第１の結合区域において、両部材の底面側の一定領域では非結合領域となし、その領域よりも上の領域で結合領域として結合され、且つ当該非結合領域と結合領域との境界部において側壁にはその前端縁と底板との交点から後ろ上方へ向けて延びる折曲げ線が形成されており、
成形フラップの前記切込み区域の終点部位は前壁に結合されている、ことにより、
収納箱の前記前壁、左側壁及び右側壁部分が底板からワンタッチで組み立てされるのに加えて、前記収容スペースもまた前壁の内面からワンタッチで組み立て成形されることを特徴とする包装容器。
【請求項２】
前記切込み区域は概略矩形状に形成され、当該切込み区域の前壁への結合部分よりも接合端寄りの部分には切込み区域の長手方向に対して交差する方向に切込線が形成されており、
収納箱の前記前壁、左側壁及び右側壁部分が底板からワンタッチで組み立てされる操作に際して、前記切込線が折り曲げられて切込み区域が立ち上がり、前記成形フラップを前記前壁から離間させることを特徴とする請求項１に記載の包装容器。